(57)【要約】【課題】  駆動源への負荷を少なくして耐久性を向上させ、また、複雑な伝達機構を必要とせずシンプルな構成とすることで大型化するのを避けて、低コスト化を図ることができる遊技機用可動演出装置と、それを備えた遊技機を提供する。【解決手段】  電動モータ９の回転駆動力を受けて、胴体部１０が、胴体部回動軸１８を遊技盤２に交差する方向の回動軸線Ｏ周りに回動する。このとき、作用部１４の先端部１４ａが傾斜面２０ａに当接案内されるので、作用部１４と一体成形されている頭部１１は、揺動軸線Ｐ周りで、胴体部１０に対して前方側に揺動する。【選択図】図７
2011156274.tif 000002
【特許請求の範囲】
【請求項１】
駆動源の駆動力により遊技盤に沿って移動可能な第一の可動体と、その第一の可動体に組み付けられ、前記遊技盤に沿う方向に配置された揺動軸線周りに揺動し、前記遊技盤に交差する前後方向へ揺動可能な第二の可動体とを備える遊技機用可動演出装置であって、
前記第一の可動体に前記揺動軸線又はそれと平行な軸線の周りで揺動可能に軸支され、前記第二の可動体の揺動に作用する作用部と、
前記第一の可動体の移動に伴う前記第二の可動体の揺動領域外において前記遊技盤に対して固定状態に設けられるとともに、所定箇所が当接し該作用部を揺動させるために、前記前後方向に形成された傾斜面を有するガイド部と、を備え、
前記駆動源の駆動力を受けて前記第一の可動体が移動するとき、前記作用部が前記ガイド部の傾斜面に当接することにより、前記作用部とともに前記第二の可動体が前記第一の可動体に対して揺動することを特徴とする遊技機用可動演出装置。
【請求項２】
前記第一の可動体は、前記遊技盤の後面に固定された背面固定部材に支持される一方、
前記ガイド部は前記背面固定部材に固定配置されている請求項１に記載の遊技機用可動演出装置。
【請求項３】
前記第一の可動体と作用部との間には、前記作用部を前記ガイド部の傾斜面に押し付けるための付勢力を付与する付勢部材が設けられている請求項１又は２に記載の遊技機用可動演出装置。
【請求項４】
前記作用部は、前記第二の可動体と一体的に形成されるとともに前記揺動軸線周りで前記第一の可動体に対して揺動する請求項１ないし３のいずれか１項に記載の遊技機用可動演出装置。
【請求項５】
前記作用部は、前記第二の可動体とリンク機構で繋がり、前記揺動軸線と平行な軸線周りで前記第一の可動体に対して揺動する請求項１ないし３のいずれか１項に記載の遊技機用可動演出装置。
【請求項６】
請求項１ないし５のいずれか１項に記載の遊技機用可動演出装置を備えることを特徴とする遊技機。
【発明の詳細な説明】
【技術分野】
【０００１】
本発明は、パチンコ機のセンター役物等に用いられる遊技機用可動演出装置と、そのような可動演出装置を備えるパチンコ機等の遊技機に関する。
【背景技術】
【０００２】
例えば下記特許文献１には、頭部と胴体部とからなる可動体であって、胴体部に頭部が回動可能に設けられており、頭部を回動させるための駆動源（ソレノイド）が胴体部に搭載されている。また、下記特許文献２、３にはそれぞれ、胴体部に頭部が回動可能に設けられており、胴体部を移動させる伝達機構にリンクさせて頭部が胴体部の移動方向と異なる方向へ回動させている。
【先行技術文献】
【特許文献】
【０００３】
【特許文献１】特開２００５−１３５１２号公報
【特許文献２】特開２００７−７５３２５号公報
【特許文献３】特開２００８−１３２０８２号公報
【発明の概要】
【発明が解決しようとする課題】
【０００４】
しかし、上記特許文献１に記載された遊技機は、頭部を回動させるための駆動源（ソレノイド）が胴体部に搭載されており、上記特許文献２、３では、単一な駆動源で胴体部と頭部の動きを満たしているものの、胴体部の先端部に頭部を含めた構造物が搭載されているので、全体の重量が重くなり、胴体部を移動させるための駆動源が大型化するとともに駆動源の発熱による耐久性の低下が問題となる。
【０００５】
さらに、上記特許文献２、３では、伝達機構にリンクさせて頭部を回動させているので、経時劣化等により頭部の回動が鈍くなり、それにより伝達機構全体に負荷がかかり、故障を誘発するおそれがある。よって、可動演出装置自体が大型化するとともに、耐久性の低下、コストの増大という問題がある。
【０００６】
本発明の課題は、駆動源への負荷を少なくして耐久性を向上させ、また、複雑な伝達機構を必要とせずシンプルな構成とすることで大型化するのを避けて、低コスト化を図ることができる遊技機用可動演出装置と、それを備えた遊技機を提供することにある。
【課題を解決するための手段及び発明の効果】
【０００７】
上記課題を解決するために、本発明の遊技機用可動演出装置は、駆動源の駆動力により遊技盤に沿って移動可能な第一の可動体と、その第一の可動体に組み付けられ、前記遊技盤に沿う方向に配置された揺動軸線周りに揺動し、前記遊技盤に交差する前後方向へ揺動可能な第二の可動体とを備える遊技機用可動演出装置であって、
前記第一の可動体に前記揺動軸線又はそれと平行な軸線の周りで揺動可能に軸支され、前記第二の可動体の揺動に作用する作用部と、
前記第一の可動体の移動に伴う前記第二の可動体の揺動領域外において前記遊技盤に対して固定状態に設けられるとともに、所定箇所が当接し該作用部を揺動させるために、前記前後方向に形成された傾斜面を有するガイド部と、を備え、
前記駆動源の駆動力を受けて前記第一の可動体が移動するとき、前記作用部が前記ガイド部の傾斜面に当接することにより、前記作用部とともに前記第二の可動体が前記第一の可動体に対して揺動することを特徴とする。
【０００８】
また、上記課題を解決するために、本発明の遊技機用可動演出装置は、遊技盤に沿って配設され、駆動源の駆動力により所定の移動方向に移動可能な第一の可動体と、その第一の可動体の移動方向の下流側（下手側、先端）部において前記遊技盤に沿う方向に配置された揺動軸線周りに揺動し、前記遊技盤に交差する前後方向へ揺動可能な第二の可動体とを備える遊技機用可動演出装置であって、
前記第一の可動体の移動方向の下流側部において、前記揺動軸線又はそれと平行な軸線の周りで揺動可能に軸支された作用部と、
前記第二の可動体の揺動領域外において前記遊技盤に対して固定状態に設けられるとともに、前記作用部の移動方向上流側（上手側、基端側）を当接案内（ガイド）するために、前記前後方向に形成された傾斜面を有するガイド部と、を備え、
前記駆動源の駆動力を受けて前記第一の可動体が移動するとき、前記作用部が前記ガイド部の傾斜面に当接することにより、前記作用部とともに前記第二の可動体が前記第一の可動体に対して揺動することを特徴としてもよい。
【０００９】
また、上記課題を解決するために、本発明の遊技機用可動演出装置は、
遊技盤に沿って長手状に配設され、駆動源の回転駆動力により前記遊技盤に交差する方向に配置された回動軸線周りに回動可能な第一の可動体と、その第一の可動体の長手方向一端部において前記遊技盤に沿う方向に配置された揺動軸線周りに揺動して前記第一の可動体に対して遊技者側（前方側）へ揺動可能な第二の可動体とを備える遊技機用可動演出装置であって、
前記第一の可動体の長手方向一端部において、前記揺動軸線又はそれと平行な軸線の周りで揺動可能に軸支された作用部と、
前記第二の可動体の揺動領域外において前記遊技盤に対して固定状態に設けられるとともに、前記作用部の第一の可動体側の先端部を当接案内するために、前記遊技盤に交差する方向に形成された傾斜面を有するガイド部と、を備え、
前記駆動源の回転駆動力を受けて前記第一の可動体が回動するとき、前記作用部が前記ガイド部の傾斜面に当接することにより、前記作用部とともに前記第二の可動体が前記第一の可動体に対して揺動することを特徴としてもよい。
【００１０】
上記遊技機用可動演出装置では、第一の可動体が移動（回動）するとき、作用部がガイド部の傾斜面に当接することにより、作用部とともに第二の可動体が揺動するように構成されているため、従来のような複雑な伝達機構を必要としない。よって、駆動源に負荷をかけることが少なく耐久性が向上する。また、上記のとおりシンプルな構成であるため、可動演出装置自体が大型化することなく低コスト化を図ることができる。
【００１１】
さらに、上記遊技機用可動演出装置では、ガイド部の傾斜面の傾斜角度を適宜変更すれば、揺動の振り幅を調節することができ、また、ガイド部の傾斜面の長さを適宜変更すれば、揺動のスピード（タイミング）を調節することができる。よって、構成を大幅に変更することなく容易に揺動の調整を行うことができる。
【００１２】
例えば第一の可動体を胴体部、第二の可動体を頭部として作動させることにより、架空の動物（アニメキャラクター等）や過去・現在の実在動物（恐竜等）等を象った象形物をダイナミックに作動可能とすることができる。
【００１３】
前記第一の可動体は、前記遊技盤の後面に固定された背面固定部材に支持される一方、
前記ガイド部は前記背面固定部材に固定配置されている構成としてもよい。
【００１４】
これによれば、より一層シンプルでコンパクトな構成とすることができ、ガイド部が背面固定部材に固定されているので安定性が向上する。
【００１５】
前記第一の可動体と作用部との間には、前記作用部（の移動方向上流側／の移動方向基端側）を前記ガイド部の傾斜面に押し付けるための付勢力を付与する付勢部材が設けられている構成としてもよい。
【００１６】
これによれば、作用部（の移動方向上流側）をガイド部の傾斜面に押し付けることができるため、第二の可動体が安定して揺動することが可能になる。
【００１７】
前記作用部は、前記第二の可動体と一体的に形成されるとともに前記揺動軸線周りで前記第一の可動体に対して揺動する構成としてもよい。
【００１８】
これによれば、作用部が第二の可動体と一体成形であるから、よりシンプルな構成とすることができる。さらに、第一の可動体の移動（回動）に対して規則正しく揺動するため、無駄の動きのない迫力のある演出をさせることができる。
【００１９】
前記作用部は、前記第二の可動体とリンク機構で繋がり、前記揺動軸線と平行な軸線周りで前記第一の可動体に対して揺動する構成としてもよい。
【００２０】
前記リンク機構は、前記作用部の動きを前記第二の可動体に伝達するために、前記第二の可動体の移動方向基端部側と前記作用部の移動方向先端部側との重ね合わせ部分に形成された係合部を有する構成としてもよい。
【００２１】
これによれば、揺動範囲を大きく確保することができるので設計の自由度が増す。さらに、第一の可動体及び第二の可動体はより迫力のある円滑な動作が可能となって、演出効果を向上させることができる。
【００２２】
また、上記課題を解決するために本発明の遊技機は、上記した遊技機用可動演出装置を備えることを特徴とする。
【００２３】
これによれば、駆動源への負荷を少なくして耐久性を向上させ、また、複雑な伝達機構を必要としないシンプルな構成とすることで大型化するのを避けて、低コスト化を図ることができる。
【００２４】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００２５】
【図１】本発明に係る遊技機用可動演出装置を含むセンター役物を備えたパチンコ機の正面図。
【図２】第一可動演出装置及び第二可動演出装置を示す正面図及び左側面図。
【図３】図２の胴体部の回動後及び頭部の揺動後の状態を示す正面図及び左側面図。
【図４】第一可動演出装置を盤裏ユニットに対して取付けた状態を示す前方側分解斜視図。
【図５】図４の後方側分解斜視図。
【図６】第一可動演出装置の拡大平面図及び拡大背面図。
【図７】第一可動演出装置の初期位置及び停止位置を示す右側面図。
【図８】第一可動演出装置における胴体部の回動後の拡大平面図及び拡大背面図。
【図９】第二可動演出装置を盤裏ユニットに対して取付けた状態を示す前方側分解斜視図。
【図１０】図９の後方側分解斜視図。
【図１１】第二可動演出装置のみを示す分解斜視図。
【図１２】第二可動演出装置の後方側斜視図。
【図１３】第二可動演出装置における胴体部の回動及び頭部の揺動の初期位置を示す斜視図。
【図１４】図１３の背面図。
【図１５】図１４の胴体部の回動後及び頭部の揺動後の状態を示す背面図。
【図１６】頭部の揺動時の係合部の動きを示す説明図。
【発明を実施するための形態】
【００２６】
（全体説明）
以下、本発明の実施例の形態を図面を参照しつつ説明する。図１は本発明に係る遊技機用可動演出装置（以下、単に可動演出装置ともいう）を含むセンター役物を備えたパチンコ機を例示する正面図である。図１に示すように、パチンコ機１（遊技機）の遊技盤２の盤面（前面）には、ほぼ左半周が内外２本のガイドレール２ｂによって区画され、全体として円形の遊技領域２ａが形成されている。遊技領域２ａの中央には、遊技盤２上での遊技状態の変化に応じた演出表示を行う液晶表示部３が配置されている。この液晶表示部３と、液晶表示部３を保持する矩形枠状の中央フレーム４と、中央フレーム４の前方にて液晶表示部３の右前方に配置された第一可動演出装置５と、その下方に配置された第二可動演出装置６とを含むセンター役物１００が遊技盤２に搭載されている。液晶表示部３の下方（遊技領域２ａの中央下部）に大入賞口７（アタッカー）が配置されている。また、液晶表示部３と大入賞口７との間には、電動チューリップ（電チュー）にて構成される始動口８が配置されている。
【００２７】
図２は第一可動演出装置５及び第二可動演出装置６を示す正面図及び左側面図。図３は、図２の胴体部１０の回動後及び頭部１１の揺動後の状態を示す正面図及び左側面図である。
【００２８】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００２９】
（実施例１）
以下、本発明の実施例１（第一可動演出装置５）について説明する。図４は、第一可動演出装置５を盤裏ユニット３０に対して取付けた状態を示す前方側分解斜視図。図５は、図４の後方側分解斜視図をそれぞれ示している。図６は、第一可動演出装置５の拡大平面図及び拡大背面図である。なお、実施例１では第一可動演出装置５についてのみ説明し、第二可動演出装置６については後に記載する実施例２で説明するものとする。
【００３０】
図２、３に示すように、遊技盤２の後面側には背面固定部材として盤裏ユニット３０が取付けられる。その盤裏ユニット３０上方の前面側に、第一可動演出装置５が遊技盤２に沿って長手状に配設され、さらに駆動源となる例えばステッピングモータ等の電動モータ９が盤裏ユニット３０の後面側に設けられる。第一可動演出装置５は、その電動モータ９の回転駆動力により、遊技盤２に交差する方向に配置された回動軸線Ｏの正面視右周りに回動可能（遊技盤に沿って移動可能／所定の移動方向に移動可能）な第一の可動体である胴体部１０と、その胴体部１０の長手方向の左端部（胴体部１０の移動方向の下流側部）において、遊技盤２に沿う方向に配置された、揺動軸線Ｐ周りに揺動して胴体部１０に対して遊技者側となる前方側へ（遊技盤２に交差する前後方向へ）揺動可能な第二の可動体である頭部１１とを備えている。
【００３１】
より具体的には図４〜６に示すように、頭部１１は、上顎１２と下顎１３とで構成される。上顎１２の右端には、作用部１４が一体成形されており、胴体部１０の方向へ延びている。この作用部１４は、頭部１１の揺動軸線Ｐ周りで揺動可能なように軸支されている。頭部１１の揺動及び胴体部１０の回動については後で説明する。なお、作用部１４は、上顎１２と一体成形つまり、頭部１１と一体形成されているので、部品点数及び製造コストを減らすことができる。
【００３２】
そして、作用部１４に形成された頭部連結孔１５と、胴体部１０の後方側に延びる板状部４０に形成された胴体連結孔１７と、がそれぞれ組み合わされて、頭部揺動軸部材１６が挿通されることで、頭部１１と胴体部１０とが連結される。さらに、胴体部１０及び板状部４０と一体成形されて後方側へ延びる胴体部回動軸１８が、盤裏ユニット３０の後面側から固定される電動モータ９の盤裏ユニット３０前面側に突出するモータ軸９ａと組み合わされて、電動モータ９の回転駆動力が伝達される。
【００３３】
また、（胴体部１０の移動に伴う）頭部１１の揺動領域（範囲）外において、遊技盤２の後面に取付けられた盤裏ユニット３０には、作用部１４の胴体部１０側の先端部１４ａ（作用部１４の移動方向上流側）を当接案内する（所定箇所が当接し作用部１４を揺動させる）ために、遊技盤２に交差する方向、すなわち、前方側（前後方向）に形成された傾斜面２０ａ（ガイド面）を有するガイド部２０が備えられている（固定状態に設けられている）。傾斜面２０ａは、前方側ほど高位とされる形態をなしている（図９も参照）。さらに、ガイド部２０の上端及び下端には胴体部１０の回動の範囲が決定される第一回動ストッパ２１、第二回動ストッパ２２が形成されている。
【００３４】
また、作用部１４の先端部１４ａをガイド部２０の傾斜面２０ａに押し付ける付勢力として、例えば引張コイルスプリング等の第一付勢部材２３が胴体部１０と作用部１４との間に設けられている。より具体的には、胴体部１０の胴体部回動軸１８に突出するように設けられた第一フック２４に、第一付勢部材２３の端部が取付けられ、もう一方の端部が第一ビス２５によって作用部１４に取付けられている。
【００３５】
また、頭部１１は、上顎１２に形成された上顎間接部２７、２７と、下顎１３に形成された下顎間接部２８、２８とでそれぞれ連結されて、頭部１２に対して、下顎１３が開閉可能となっており、胴体部１０の胴体連結孔１７の下方に第二付勢部材取付ボス４１が形成され、第二ビス３２でビス止めされ、頭部１１の下顎１２に一体成形された第二フック３３とで、第二付勢部材３１が取付けられている（図８下段も参照）。これにより、頭部１１に対して水平方向の開閉軸線Ｑ周り（図６参照）で回動して頭部１１の開口部とする下顎１３の開閉運動を可能としている。つまり下顎１３は、頭部１１が胴体部１０に対して揺動するのと連動して、頭部１１に対して開閉軸線Ｑ周りで回動して、開閉運動するように構成されている。
【００３６】
また、盤裏ユニット３０に、下顎１３と当接する開閉部材５８が設けられている。この開閉部材５８によって、上記した開閉運動では、胴体部１０の回動によって頭部１１が上がった状態では、下顎１３が開閉部材５８から離れ、第二付勢部材３１の弾性力と、下顎１３の自重によって開口する。逆に、頭部が１１下がった状態では、下顎１３が自重で下がらないように開閉部材５８が下顎１３を押さえつけて閉口するように構成されている。
【００３７】
＜第一可動演出装置５における胴体部１０の回動及び頭部１１の揺動の一例＞
図７、８は第一可動演出装置５における胴体部１０の回動及び頭部１１の揺動を示すものであって、駆動源である電動モータ９の回転駆動力を受けて、胴体部１０が正面視右周りに回動するとき、作用部１４がガイド部２０の傾斜面２０ａに当接することにより、頭部１１が前方側へ揺動するものである。
【００３８】
より具体的には、図７の左側の「回動・揺動前（初期位置）」に示すように、作用部１４の先端部１４ａが、盤裏ユニット３０に設けられたガイド部２０における傾斜面２０ａと当接している。作用部１４の先端部１４ａが当接する位置は、傾斜面２０ａの前方側の最高位の位置であり、回動ストッパ２１によっても作用部１４のこの初期位置が位置決めされる。このとき、例えば図２からも明らかなように、胴体部１０及び頭部１１は、左側下方に向かって一直線状になっている。
【００３９】
次に、図７の右側の「回動・揺動後（停止位置）」に示すように、電動モータ９の回転駆動力を受けて、作用部１４とともに胴体部１０が、遊技盤２に交差する方向の回動軸線Ｏの正面視右周りに回動する。このとき、作用部１４の先端部１４ａが傾斜面２０ａに当接案内されるので、作用部１４と一体成形されている頭部１１は、図８（図３も参照）に示すように、揺動軸線Ｐ周りで、胴体部１０に対して前方側に揺動する。これにより、限られた遊技盤２上のスペース内で迫力のある演出をさせることができる。また、従来のような複雑な伝達機構を必要とせず駆動源に負荷をかけることが少ないので耐久性が向上する。
【００４０】
また、胴体部１０の回動及び頭部１１の揺動の際は上記したように、作用部１４の先端部１４ａが、第一付勢部材２３の弾性力、すなわち付勢力によって、ガイド部２０の傾斜面２０ａに押し付けられるため、安定した胴体部１０の回動及び頭部１１の揺動が可能となっている。
【００４１】
また、図８に示すように、胴体部１０の回動によって頭部１１上がった状態になり、頭部１１の下顎１３が開閉部材５８から離れ、第二付勢部材３１の弾性力と、下顎１３の自重によって開口する。
【００４２】
そして、図７の右側の「回動・揺動後（停止位置）」に示すように、作用部１４が、傾斜面２０ａの後方側の最低位の位置まで当接案内され、電動モータ９の回転駆動の停止によって胴体部１０の回動及び頭部１１の揺動が終了する。電動モータ９の回転駆動の停止とともに、回動ストッパ２２によっても、この作用部１４の位置決めが行われる。なお、必ずしも先端部１４ａが傾斜面１４ａの後方側の最低位の位置に当接案内されるまで、胴体部１０の回動及び頭部１１の揺動を行う必要はなく、例えば、先端部１４ａが傾斜面２０ａの中間位置まで当接させるように電動モータ９を駆動する等、適宜動作の変更を行うことができる。
【００４３】
また、胴体部１０の回動及び頭部１１の揺動が終了しても、電動モータ９に逆の回転駆動をさせることで、上記で説明した一連動作の逆を行いながら初期位置まで復帰することもできる。
【００４４】
（実施例２）
次に、本発明の実施例２（第二可動演出装置）について説明する。ただし、実施例２では、実施例１との相違点を中心に説明するため、実施例１の第一可動演出装置５と共通の部分に関しては、同一の符号を付して説明を省略する箇所もある。
【００４５】
図２、３に示すように、盤裏ユニット３０下方の前面側に、第二可動演出装置６が遊技盤２に沿って長手状に配設され、さらに駆動源となる例えばステッピングモータ等の電動モータ９が盤裏ユニット３０の後面側に設けられる。第二可動演出装置６は、その電動モータ９の回転駆動力により、遊技盤２に交差する方向に配置された回動軸線Ｏの正面視左周りに回動可能な第一の可動体である胴体部１０と、その胴体部１０の長手方向の上端部において、遊技盤２に沿う方向に配置された、揺動軸線Ｐ周りに揺動して胴体部１０に対して遊技者側となる前方側へ揺動可能な第二の可動体である頭部１１とを備えている。
【００４６】
図９は、第二可動演出装置６を盤裏ユニット３０に対して取付けた状態を示す前方側分解斜視図。図１０は、図９の後方側分解斜視図をそれぞれ示している。図１１は、第二可動演出装置６のみを示す分解斜視図。図１２は、第二可動演出装置６の後方側斜視図である。
【００４７】
図９〜１２に示すように、作用部１４は、頭部１１と一体的に形成された延長部７２とリンク機構７０で繋がり、頭部１１の揺動軸線Ｐと平行な作用部１４の揺動軸線Ｒ周りで胴体部１０に対して揺動する。さらに、リンク機構７０は、作用部１４の動きを延長部７２（頭部１１）に伝達するために、延長部７２の先端部（移動方向基端部側）と、作用部１４の先端部（移動方向先端部側）との重ね合わせ部分に形成された係合部８５を有する。係合部８５は、延長部７２（頭部１１）に揺動を案内するための凹部、例えば長孔状の貫通孔７９が設けられ、作用部１４に貫通孔７９へ挿入される凸部、例えば丸軸状の突起７３が設けられている。
【００４８】
より具体的には、作用部１４が胴体連結部７１ａ、７１ｂによって挟み込まれており、その作用部１４の左端に形成された丸軸状の突起７３は、頭部１１と一体形成された延長部７２に形成された長孔状の貫通孔７９に挿通され係合部８５とし、さらに上方から、作用部揺動軸４２と頭部揺動軸４３とが形成されたリンク連結部材７４が組み込まれている。それらがリンク機構７０として繋がれて、突起７３が、貫通孔７９をガイドして揺動軸線Ｐ周りで延長部７２（頭部１１）を揺動案内するように構成されている。このような構成（リンク機構７０）とすれば、作用部１４の揺動に伴って、頭部１１（延長部７２）の揺動範囲を増幅させる（大きく揺動させる）ことができる。
【００４９】
そして、特に図１１に示すように、リンク連結部材７４の作用部揺動軸４２は、下方から上方に向かって第三ビス４５が挿通され、作用部１４を軸支している。また、リンク連結部材７４の頭部揺動軸４３は、下方から上方に向かって第四ビス４６が挿通され、頭部１１（延長部７２）を軸支している。また、作用部揺動軸４２は作用部１４の揺動軸線Ｒ上に位置しており、頭部揺動軸４３は、頭部１１の揺動軸線Ｐ上に位置している。したがって、作用部揺動軸４２よって軸支されている作用部１４は、揺動軸線Ｒ周りで揺動可能とされ、頭部揺動軸４３によって軸支されている頭部１１（延長部７２）は、揺動軸線Ｐ周りで揺動可能となっている。なお、揺動軸線Ｐ及び揺動軸線Ｒを含むリンク機構７０の動作態様については後で説明する。
【００５０】
第二可動演出装置６の右側には、固定ベース部５０が盤裏ユニット３０の前面側に設けられている。その固定ベース部５０の左側面には、作用部１４を当接案内するために、傾斜面２０ａ（ガイド面）を有するガイド部２０を備えている。傾斜面２０ａは、前方側ほど低位とされる形態をなしており（図１３も参照）、最高位では、上下が傾斜面２０ａに連接されている。また、傾斜面２０ａに対向する傾斜面２０ｂが設けられており、第一付勢部材２３が使用不可となっても、この傾斜面２０ｂによって作用部１４の当接案内を補助することができる。
【００５１】
また、胴体部１０の下端付近には、胴体部１０の回動軸線Ｐと共通する回動軸８０が設けられて、回動軸線Ｐ周りに回動可能なように、盤裏ユニット３０に軸支されている。
【００５２】
さらに、胴体部１０の回動を行うための回転駆動力を伝達する電動モータ９が、盤裏ユニット３０の後面側に設けられ、盤裏ユニット３０の前面側に設けられるカム７５と盤裏ユニット３０を通して繋がる。カム７５は、胴体部１０のほぼ中央位置に設けられたカム伝達部７６と繋がり、電動モータ９からの回転駆動力を周知のカム機構により胴体部１０へ伝達させる。
【００５３】
また、図１１、１２に示すように、胴体部１０と作用部１４との間に、例えば引張コイルスプリング等の第一付勢部材２３が設けられている。具体的には、作用部１４の下方側に形成された第二フック５４と、その前方側の胴体部１０に設けられる第三フック５５との間を繋ぐように第一付勢部材２３が設けられて、その弾性力によって作用部１４がガイド部２０の傾斜面２０ａに押し付けられる。
【００５４】
＜第二可動演出装置６における胴体部１０の回動及び頭部１１の揺動の一例＞
図１３は、第二可動演出装置６における胴体部１０の回動及び頭部１１の揺動の初期位置を示す斜視図。図１４は、図１３の背面図。図１５は、図１４の胴体部１０の回動後及び頭部１１の揺動後の状態を示す背面図。図１６は、頭部１１の揺動時の係合部８５の動きを示す説明図であり、実施例１と同様に駆動源である電動モータ９の回転駆動力を受けて、胴体部１０が回動するとき、作用部１４がガイド部２０の傾斜面２０ａに当接することにより、頭部１１が揺動するものである。
【００５５】
より具体的には、図１３、１４に示すように胴体部１０の回動前（初期位置）は、作用部１４が、盤裏ユニット３０（固定ベース部５０）に設けられたガイド部２０における傾斜面２０ａと当接している。作用部１４が当接する位置は、傾斜面２０ａの前方側の最低位の位置である。
【００５６】
次に、電動モータ９からの回転駆動力を上記のとおりカム機構により伝達させ、上記の胴体部１０の回動軸線Ｏの正面視左周りに、頭部１１及び胴体部１０が回動する。このとき、作用部１４が傾斜面２０ａに当接案内される。そして、図１５、１６に示すように、その当接案内された作用部１４の動きが、作用部１４と延長部７２とを含む係合部８５（リンク機構７０）に伝達され、係合部８５（リンク機構７０）に繋がれている頭部１１は、揺動軸線Ｐ周りで胴体部１０に対して前方側へ揺動する。
【００５７】
以下、作用部１４の動き（揺動）に伴い、係合部８５を介して頭部１１が揺動する態様について、より具体的に説明する。図１６に示すように、まず、作用部１４が、傾斜面２０ａに当接案内され、作用部１４は、作用部１４の揺動軸線Ｒ周りに揺動する。このとき、作用部１４は揺動軸線Ｒを中心としているので、作用部１４の右端は後方側へ、左端は前方側へ揺動している態様となる。そのとき、リンク機構７０（係合部８５）を構成する作用部１４の突起７３が、貫通孔７９（係合部８５）をガイドしながら、作用部１４が揺動軸線Ｒ周りに揺動するリンク機構７０の作用により、頭部１１（延長部７２）が揺動軸線Ｐ周りに前方へ揺動案内される。
【００５８】
胴体部１０の回動及び頭部１１揺動の際は、実施例１と同様にその作用部１４が、第一付勢部材２３の弾性力、すなわち付勢力によってガイド部２０の傾斜面２０ａに押し付けられるため、安定した胴体部１０の回動及び頭部１１の揺動が可能となっている。
【００５９】
また、図１５に示すように、頭部１１が胴体部１０に対して揺動するのと連動して、開口部である下顎１３が頭部１１に対して開閉軸線Ｑ（図１１、１２も参照）周りで回動して開口運動を行う。この開口運動は、下顎１３の自重によるものである。つまり、胴体部１０の回動前の初期位置の際は、下顎１３を突き上げるように当接される位置に、開閉部材５８が盤裏ユニット３０に設けられている。そこで胴体部１０の回動が開始されると、下顎１３が開閉部材５８から離れ、下顎１３の自重によって下方へ下顎１３が開かれる。
【００６０】
そして、作用部１４は、傾斜面２０ａの後方側の最高位の位置まで当接案内されると、電動モータ９の回転駆動の停止によって回動及び揺動が終了する。また、実施例１と同様に回動及び揺動が終了しても、電動モータ９に逆の回転駆動をさせることで、上記で説明した一連動作の逆を行いながら初期位置まで復帰することもできる。
【００６１】
なお、実施例１及び２の共通の実施態様の説明として、傾斜面２０ａの傾斜角度を変更することで、頭部１１の揺動の振り幅を調節することができ、また、傾斜面２０ａの長さを変更すれば、揺動のスピード（タイミング）を調整することができる。実施例１では、ガイド部２０は傾斜面２０ａのみを形成したが、例えば図示しないが、傾斜面と鉛直面とをガイド部２０に形成するようにすれば、先端部１４ａが傾斜面に当接案内されているときは、胴体部１０の回動に連動して頭部１１が揺動し、鉛直面に当接案内されているときは、胴体部１０の回動のみを行って、頭部１１の揺動を行わないように構成することも可能である。また、胴体部１０の回動半径を無限大化することにより、胴体部１０の直線移動が可能となる。
【００６２】
以上の実施例では、遊技機用可動演出装置をパチンコ機に搭載する場合についてのみ説明したが、アレンジパチンコ等のその他の弾球遊技機は勿論、スロットマシンやパチスロ機等の回胴式遊技機、ポーカーゲーム機や雀球遊技機等の各種ゲーム機、等で実施してもよい。
【符号の説明】
【００６３】
１  パチンコ機（遊技機）
２  遊技盤
５  第一可動演出装置（遊技機用可動演出装置）
６  第二可動演出装置（遊技機用可動演出装置）
９  電動モータ（駆動源）
１０  胴体部（第一の可動体）
１１  頭部（第二の可動体）
１４  作用部
１４ａ先端部
２０  ガイド部
２０ａ傾斜面
２３  第一付勢部材（付勢部材）
３０  盤裏ユニット（背面固定部材）
７０  リンク機構
７２  延長部
７３  突起
７９  貫通孔
８５  係合部
Ｏ  回動軸線（第一の可動体（胴体部）の回動軸線）
Ｐ  揺動軸線（第二の可動体（頭部）の揺動軸線）
Ｑ  開閉軸線（開口部の開閉軸線）
Ｒ  揺動軸線（作用部の揺動軸線）
【図１】
2011156274.tif 000003
【図２】
2011156274.tif 000004
【図３】
2011156274.tif 000005
【図４】
2011156274.tif 000006
【図５】
2011156274.tif 000007
【図６】
2011156274.tif 000008
【図７】
2011156274.tif 000009
【図８】
2011156274.tif 000010
【図９】
2011156274.tif 000011
【図１０】
2011156274.tif 000012
【図１１】
2011156274.tif 000013
【図１２】
2011156274.tif 000014
【図１３】
2011156274.tif 000015
【図１４】
2011156274.tif 000016
【図１５】
2011156274.tif 000017
【図１６】
2011156274.tif 000018